(57)【要約】      （修正有）【課題】作物を着生させる培地へ容易かつ確実に水を供給できる栽培装置、栽培システム及び栽培方法を提供する。【解決手段】栽培装置１は、作物を着生させる培地２と、上記培地中又は上記培地表面に配設される管路３とを備え、上記管路の壁面の少なくとも一部が、水蒸気を透過可能な疎水性多孔質膜である。【選択図】図１
2018099095.tif 000002
【特許請求の範囲】
【請求項１】
作物を着生させる培地と、
上記培地中又は上記培地表面に配設される管路と
を備え、
上記管路の壁面の少なくとも一部が、水蒸気を透過可能な疎水性多孔質膜である栽培装置。
【請求項２】
請求項１に記載の栽培装置と、
温水を貯留する温水タンクと、
上記温水タンクの温水を上記管路内に流通させる流通機構と
を備える栽培システム。
【請求項３】
屋根上に水が流通可能な流路を有する温室を備え、
太陽光により上記流路で加温された温水を上記温水タンクに貯留する請求項２に記載の栽培システム。
【請求項４】
上記温水タンクの壁面の少なくとも一部が、水蒸気を透過可能な疎水性多孔質膜であり、
上記温水タンクの疎水性多孔質膜から透過した水蒸気を凝縮させる冷却器と、
上記冷却器で凝縮された水を貯留する蒸留水タンクと
をさらに備える請求項３に記載の栽培システム。
【請求項５】
作物を着生させる培地と、上記培地中又は上記培地表面に配設される管路とを備え、上記管路の壁面の少なくとも一部が、水蒸気を透過可能な疎水性多孔質膜である栽培装置を用い、
上記管路内に上記培地の温度より高い温度の水を流通させる栽培方法。
【発明の詳細な説明】
【技術分野】
【０００１】
本発明は、栽培装置、栽培システム及び栽培方法に関する。
【背景技術】
【０００２】
近年、砂漠等の乾燥地帯においても作物の栽培が試みられている。砂漠等の乾燥地帯は寒暖差が激しく、また栽培用の水を確保するのが難しい。
【０００３】
一方、砂漠等で飲用水を得ることを目的として海水等から淡水を回収できる造水システムが知られている（特許文献１）。この造水システムでは、水蒸気を透過させ、液体の水を透過させない疎水性多孔質膜を用いて淡水を得ている。具体的には、この造水システムは、内部が気密系で、外皮が疎水性多孔質膜からなる中空糸を海水中に浸し、中空糸の外部から内部へ透過した水蒸気を冷却して凝結水を得る。
【先行技術文献】
【特許文献】
【０００４】
【特許文献１】特開２０１２−１３０８８２号公報
【発明の概要】
【発明が解決しようとする課題】
【０００５】
特許文献１に開示された造水システムは、海水又は汚水等からきれいな水を回収可能とするが、得られた水を作物の栽培用とする場合には、培地に対して的確に水を供給する仕組みが必要である。
【０００６】
本発明は、上述のような事情に基づいてなされたものであり、作物を着生させる培地へ容易かつ確実に水を供給できる栽培装置、栽培システム及び栽培方法を提供することを目的とする。
【課題を解決するための手段】
【０００７】
上記課題を解決するためになされた本発明の一態様に係る栽培装置は、作物を着生させる培地と、上記培地中又は上記培地表面に配設される管路とを備え、上記管路の壁面の少なくとも一部が、水蒸気を透過可能な疎水性多孔質膜である。
【０００８】
また、本発明の一態様に係る栽培システムは、上記栽培装置と、温水を貯留する温水タンクとを備え、上記温水タンクの温水を上記管路内に流通させる。
【０００９】
また、本発明の一態様に係る栽培方法は、作物を着生させる培地と、上記培地中又は上記培地表面に配設される管路とを備え、上記管路の壁面の少なくとも一部が、水蒸気を透過可能な疎水性多孔質膜である栽培装置を用い、上記管路内に上記培地の温度より高い温度の水を流通させる。
【発明の効果】
【００１０】
当該栽培装置、当該栽培システム及び当該栽培方法は、作物を着生させる培地へ容易かつ確実に水を供給できる。
【図面の簡単な説明】
【００１１】
【図１】本発明の一実施形態に係る栽培装置を示す模式的断面図である。
【図２】図１の栽培装置を備える栽培システムを示す模式図である。
【発明を実施するための形態】
【００１２】
［本発明の実施形態の説明］
最初に本発明の実施態様を列記して説明する。
【００１３】
本発明の一態様に係る栽培装置は、作物を着生させる培地と、上記培地中又は上記培地表面に配設される管路とを備え、上記管路の壁面の少なくとも一部が、水蒸気を透過可能な疎水性多孔質膜である。ここで「管路」とは、内部を流体が流通可能な管状の経路を意味する。また「疎水性多孔質膜」とは、水蒸気を透過させ、液体の水を透過させない膜状の部材を意味する。
【００１４】
当該栽培装置は、培地中又は培地表面に管路を備えるので、水が管路内を流通すると、管路内外の蒸気圧差により水の一部が水蒸気となって疎水性多孔質膜を透過し、管路外へ放出される。この水蒸気は培地に吸収されて培地が加湿される。つまり、当該栽培装置は、水を管路内に流通させることで、作物を着生させる培地へ容易かつ確実に水を供給できる。
【００１５】
また、別の本発明の一態様に係る栽培システムは、上記栽培装置と、温水を貯留する温水タンクと、上記温水タンクの温水を上記管路内に流通させる流通機構とを備える。
【００１６】
当該栽培システムは、蒸気圧の高い温水を管路内に流通させるので、管路外へ水蒸気を多く放出させることができ、作物を着生させる培地へ容易かつ確実に水を供給できる。また、当該栽培システムは、水蒸気が培地に吸収される際の凝縮熱及び管路外壁からの放射熱によって培地を加温できる。特に、夜等の気温が低下した条件において温水を管路内に流通させると、これらの効果が顕著になる。
【００１７】
当該栽培システムは、屋根上に水が流通可能な流路を有する温室を備え、太陽光により上記流路で加温された温水を上記温水タンクに貯留するとよい。当該栽培システムがこのような構成であると、太陽光により温水を生成できる。また、当該栽培システムは、砂漠等の昼間が高温になる乾燥地帯で採用されると、屋根において水が吸熱するので温室内の温度上昇を低減させることができる。
【００１８】
当該栽培システムは、上記温水タンクの壁面の少なくとも一部が、水蒸気を透過可能な疎水性多孔質膜であり、上記温水タンクの疎水性多孔質膜から透過した水蒸気を凝縮させる冷却器と、上記冷却器で凝縮された水を貯留する蒸留水タンクとをさらに備えているとよい。当該栽培システムがこのような構成であると、温水タンクに貯留された温水の一部が水蒸気となって疎水性多孔質膜から透過する。そして温水タンクの疎水性多孔質膜を透過した水蒸気は冷却器において凝縮し、水となって蒸留水タンクに貯留される。これにより、農業用水を得ることができる。
【００１９】
また、さらに別の本発明の一態様に係る栽培方法は、作物を着生させる培地と、上記培地中又は上記培地表面に配設される管路とを備え、上記管路の壁面の少なくとも一部が、水蒸気を透過可能な疎水性多孔質膜である栽培装置を用い、上記管路内に上記培地の温度より高い温度の水を流通させる栽培方法である。
【００２０】
当該栽培方法は、培地中又は培地表面の管路内に培地の温度より高い温度の水を流通させるので、作物を着生させる培地へ容易かつ確実に水を供給できる。また、当該栽培方法は、管路外へ水蒸気を多く放出させることができ、水蒸気が培地に吸収される際の凝縮熱及び管路外壁からの放射熱によって培地を加温できる。
【００２１】
［本発明の実施形態の詳細］
以下、適宜図面を参照しつつ本発明の実施形態に係る栽培装置、栽培システム及び栽培方法を説明する。
【００２２】
図１に示す栽培装置１は、作物を着生させる培地２と、培地２中及び培地２表面に配設される管路３とを備えている。管路３の壁面は、水蒸気を透過可能な疎水性多孔質膜である。また、当該栽培装置１は、栽培液４を底部に収容する水槽５と、この水槽５の底部に配設される土台６と、この土台６上に配設され、培地２の底部に栽培液４を供給する栽培液供給機構７とを備えている。また、培地２は、遮根透水シート８上に形成されている。
【００２３】
当該栽培装置１は、培地２中及び培地２表面に管路３を備えるので、水が管路３内を流通すると、管路３内外の蒸気圧差により水の一部が水蒸気となって疎水性多孔質膜を透過し、管路３外へ放出される。この水蒸気は培地２に吸収されて培地２が加湿される。つまり、当該栽培装置１は、水を管路３内に流通させることで、作物を着生させる培地２へ容易かつ確実に水を供給できる。
【００２４】
また、図２に示す栽培システムは、当該栽培装置１と、温水を貯留する温水タンク９と、温水タンク９の温水を管路３内に流通させる流通機構とを備える。当該栽培システムは、屋根１０上に水が流通可能な流路１１を有する温室１２を備え、太陽光により流路１１で加温された温水を温水タンク９に貯留する。この温水タンク９の壁面の一部は、水蒸気を透過可能な疎水性多孔質膜９ａである。また、当該栽培システムは、温水タンク９の疎水性多孔質膜９ａから透過した水蒸気を凝縮させる冷却器１３と、冷却器１３で凝縮された水を貯留する蒸留水タンク１４とをさらに備えている。
【００２５】
当該栽培システムは、温水を管路３内に流通させるので、管路３外へ水蒸気を多く放出させることができ、作物を着生させる培地２へ容易かつ確実に水を供給できる。また、当該栽培システムは、水蒸気が培地２に吸収される際の凝縮熱及び管路３外壁からの放射熱によって培地２を加温することができる。当該栽培システムは、特に、夜等の気温が低下した条件において温水を管路３内に流通させると、これらの効果が顕著になる。
【００２６】
また、当該栽培システムは、温水タンク９に貯留された温水の一部が水蒸気となって疎水性多孔質膜９ａから透過する。そして温水タンク９の疎水性多孔質膜９ａを透過した水蒸気は冷却器１３において凝縮し、水となって蒸留水タンク１４に貯留される。これにより、農業用水を得ることができる。
【００２７】
＜栽培装置＞
当該栽培システムは、温室１０内に栽培装置１を配置している。栽培装置１は、毛管水耕栽培に用いられる栽培装置である。なお、図１及び図２では省略されているが、栽培装置１から周囲へ水蒸気及び熱が拡散するのを防止するために、栽培装置１全体がビニール製のカバー等で覆われていると好ましい。
【００２８】
（培地）
培地２は、作物を着生させる培地である。培地２は、密に充填されることで毛管現象を発現可能な粒子で構成されており、特に限定されないが、例えば土壌、パミスサンド等の微粒軽石、多孔性の火山岩の粉砕粒、粒状のロックウール、コーラルサンド、サンゴ、木炭等を採用することができる。
【００２９】
（管路）
管路３は、壁面が水蒸気を透過可能な疎水性多孔質膜で構成され、培地２中及び培地２表面に複数配設されている。管路３は、筒状の管であり、培地２中において略等間隔に間隔をあけて略平行に配設され、培地２表面において略等間隔に間隔をあけて略平行に配設されている。管路３の上流側は、後述する流路１５に接続されており、管路３の下流側は、図示しない排出口へと接続されている。
【００３０】
管路３の壁面を構成する疎水性多孔質膜の材質としては、特に限定されないが、例えばポリテトラフルオロエチレン（四フッ化エチレン樹脂、以降ＰＴＦＥとも記す）、テトラフルオロエチレン・パーフルオロアルキルビニルエーテル共重合体（ＰＦＡ）、テトラフルオロエチレン・ヘキサフルオロプロピレン共重合体（ＦＥＰ）、テトラフルオロエチレン・エチレン共重合体（ＥＴＦＥ）、ポリフッ化ビニリデン（ＰＶＤＦ）、ポリクロロトリフルオロエチレン（ＰＣＴＦＥ）、クロロトリフルオロエチレン・エチレン共重合体（ＥＣＴＦＥ）等の疎水性の樹脂を採用することができる。これらは２種以上を混合して用いてもよいし、変性樹脂を用いてもよい。これらの材質のうち、疎水性、機械的強度、及び化学的耐久性（耐薬品性）に優れるとともに、容易に均一孔径を形成できる観点から、ＰＴＦＥが好ましい。
【００３１】
培地２中における管路３間の平均間隔の下限としては、１ｃｍが好ましく、５ｃｍがより好ましい。一方、上記平均間隔の上限としては、１５ｃｍが好ましく、１０ｃｍがより好ましい。培地２中における管路３間の平均間隔が上記下限より小さいと、管路３を多く配設する必要が生じ、コストが大きくなるおそれがある。逆に、上記平均間隔が上記上限を超えると、管路３間の培地２を十分に加湿できないおそれがある。
【００３２】
培地２表面における管路３間の平均間隔の下限としては、１ｃｍが好ましく、５ｃｍがより好ましい。一方、上記平均間隔の上限としては、１５ｃｍが好ましく、１０ｃｍがより好ましい。培地２表面における管路３間の平均間隔が上記下限より小さいと、管路３を多く配設する必要が生じ、コストが大きくなるおそれがある。逆に、上記平均間隔が上記上限を超えると、管路３間の培地２を十分に加湿できないおそれがある。
【００３３】
管路３の上流端から下流端までの長さの下限としては、１００ｃｍが好ましく、２００ｃｍがより好ましい。一方、上記長さの上限としては、５０００ｃｍが好ましく、３０００ｃｍがより好ましい。管路３の上流端から下流端までの長さが上記下限より短いと、管路３を多く配設する必要が生じ、コストが大きくなるおそれがある。逆に、上記長さが上記上限を超えると、管路３の途中で温水が冷却されてしまい、培地２を十分に加湿できないおそれがある。
【００３４】
培地２の温度に対する管路３の入口における温水の温度の差の下限としては、０℃が好ましく、＋１０℃がより好ましい。一方、上記温度差の上限としては、＋５０℃が好ましく、＋３０℃がより好ましい。培地２の温度に対する管路３の入口における温水の温度の差が上記下限より小さいと、培地２を十分に加湿できないおそれがある。逆に、上記温度差が上記上限を超えると、管路３に高温の温水が進入することになり、培地２を加温し過ぎて作物の成長に影響を与えるおそれがある。
【００３５】
（栽培液）
栽培液４は、水を主成分とし、肥料を含むと好ましい。肥料は、水槽５において雑菌が繁殖することを抑制できる観点から、化学肥料を含むと好ましい。なお、肥料は、栽培液４により与えられるものに限定されず、培地２内に直接的に与えられるものであってもよい。
【００３６】
（水槽）
水槽５は、断面に垂直な方向を長手方向とする溝型の樋状に形成されており、栽培液４及び土台６を底部に収容している。なお、土台６は、断面に垂直な方向を長手方向とする略長方体形状であって、断面に垂直な上部の２辺が角丸に形成されている。
【００３７】
（栽培液供給機構）
栽培液供給機構７は、水槽５の底部に貯留されている栽培液４を培地２の底部を構成する遮根透水シート８に供給する機構である。栽培液供給機構７は、毛管現象を利用して揚水する機構であり、具体的には、内部に毛管現象を発現可能な間隙を有する略矩形のシート体を用いて構成される。シート体としては、特に限定されないが、例えば、不織布、ロックウールシート、フェルトシート、ウレタンシート等のシート体を採用できる。これらのうち、吸水速度が速く、揚水力が高く、耐久性が高いものを得やすいという観点から、不織布が好ましい。シート体は、土台６の上面、上部の２辺の角丸及び側面に沿うように配設されている。そして、土台６の側面に位置するシート体の両端が水槽５内の栽培液４に浸されることで、栽培液４がシート体の両端から中央へ向けて揚水されて遮根透水シート８の底部に導かれる。
【００３８】
（遮根透水シート）
培地２は、遮根透水シート８上に形成されている。遮根透水シート８は、栽培液供給機構７により供給された栽培液４を底部から取り込み、毛管現象を利用してこの栽培液４を培地２へ揚水する機能と、上部から延伸する作物の根が下部に向けて通過するのを遮断する機能とを有している。遮根透水シート８は、内部に毛管現象を発現可能な間隙を有する略矩形のシートであり、シートの中央部分が培地２の底部となり、シートの中央部分より高い位置にある水槽５の縁にシートの対向する２辺が固定されることで溝型の樋状に形成されている。これにより、遮根透水シート８の中央部分は、培地２及び栽培液供給機構７間に挟まれるようにこれらと密着し、遮根透水シート８の両側部分は、空中で空気に触れている構成となっている。遮根透水シート８としては、特に限定されないが、例えば紙、織布、不織布等を採用できる。これらのうち、根が栽培液供給機構７や栽培液４に向かって進展するのを防止する目的及び耐久性が高いものを得やすいという観点から、遮根透水シート８が織布であると好ましい。
【００３９】
＜温水タンク＞
温水タンク９は、保温機能を有し、内部に温水を貯留するタンクである。温水タンク９の入口には、流路１１が接続されており、温水タンク９の出口には、栽培装置１の管路３の上流側に通じる流路１５が接続されている。また、温水タンク９の壁面の一部は、水蒸気を透過可能な疎水性多孔質膜９ａで構成されている。疎水性多孔質膜９ａの材質としては、管路３に用いられる疎水性多孔質膜の材質と同じものを採用できる。
【００４０】
＜屋根上の流路＞
温室１２の屋根１０上には、樋状に形成された流路１１が配設されている。流路１１の上流側には、図示しないポンプで流路１１に向けて水を送出する貯水タンク１６が接続されており、流路１１の下流には、温水タンク９が接続されている。この流路１１は、太陽光を吸収して発熱する図示しない発熱体を有しており、流路１１内を流通する水がこの発熱体の発熱により加温されて温水となる。発熱体は、例えば、透明な樋状の流路１１の内表面の一部に形成された受光面に対してカーボンや黒色塗料等の光熱変換物質が塗布されて形成される。
【００４１】
＜冷却器＞
冷却器１３は、温水タンク９の疎水性多孔質膜９ａを透過した水蒸気を冷却して凝縮させる冷却器である。冷却器１３としては、水蒸気を冷却して凝縮させることが可能であればよく、例えば、凝縮用の壁面を有し、この壁面を冷却する熱交換器を採用できる。なお、冷却器１３として、貯水タンク１６と同じ温まっていない水を溜めたタンクを採用してもよい。この場合、この水を溜めたタンクと温水タンクとの水の温度差が無くなった時点で水蒸気及び熱の移動は停止するが、冷却器のタンク内の加温された水を温水タンク９の温水としてさらに利用することも可能である。
【００４２】
図２では省略されているが、疎水性多孔質膜９ａを透過した水蒸気及び熱が周囲に拡散するのを防止するために、温水タンク９及び冷却器１３間の隙間は密閉されている。この隙間の下部には、後述する蒸留水タンク１４に導くための配管が接続され、この配管の接続位置に開閉弁が設けられていると好ましい。冷却器１３の凝縮用の壁面で凝縮した水は、温水タンク９及び冷却器１３間の隙間の下部に貯まるが、このような構成であれば、適当な時期に開閉弁が開かれることで、この隙間に貯まった蒸留水が蒸留水タンク１４に導かれる。
【００４３】
＜蒸留水タンク＞
蒸留水タンク１４は、冷却器１３で凝縮した水を貯留するタンクである。蒸留水タンク１４に貯留された水は、農業用水として利用できる。
【００４４】
＜流通機構＞
流通機構は、温水タンク９の温水を管路３内に流通させる機構であり、流路１５を用いて構成されている。流路１５は、上流から下流に向けて傾斜しており、図示しない流路１５の途中に設けられたバルブを操作することで、流路１５内を流通する温水の量を調整可能となっている。
【００４５】
［栽培方法］
当該栽培方法は、図１の当該栽培装置１を用いて実行される。当該栽培方法は、作物を着生させる培地２と、培地２中及び培地２表面に配設される管路３とを備え、管路３の壁面の少なくとも一部が、水蒸気を透過可能な疎水性多孔質膜である栽培装置１を用い、管路３内に培地２の温度より高い温度の水を流通させる。
【００４６】
当該栽培方法は、培地２中及び培地２表面の管路３内に培地２の温度より高い温度の水を流通させるので、作物を着生させる培地２へ容易かつ確実に水を供給できる。また、当該栽培方法は、管路３外へ水蒸気を多く放出させることができ、水蒸気が培地２に吸収される際の凝縮熱及び管路３外壁からの放射熱によって培地２を加温できる。
【００４７】
当該栽培方法は、管路３内に培地２の温度より高い温度の水を流通させる工程を少なくとも備えるが、これに加え、屋根１０上の流路１１に水を流通させて温水を得る工程及び温水から蒸留水を得る工程を備えていてもよい。
【００４８】
管路３内に培地２の温度より高い温度の水を流通させる工程は、温水タンク９に貯留された温水を管路３内に流通させることで実現される。具体的には、温水タンク９に貯留された温水を流路１５に送出し、流路１５に送出された温水を管路３内に流通させる。温水は、管路３内を流通して冷却された後、管路３から排出される。
【００４９】
屋根１０上の流路１１に水を流通させて温水を得る工程は、貯水タンク１６から送出された水を屋根１０上の流路１１に流通させることで実現される。具体的には、太陽光が降り注ぐ昼の時間帯に屋根１０上の流路１１に水を送出し、太陽光による熱をこの水に吸収させる。そして熱を吸収した水は温水となって温水タンク９に導かれ貯留される。
【００５０】
温水から蒸留水を得る工程は、温水タンク９の疎水性多孔質膜９ａから透過した水蒸気を冷却器１３で凝縮し、凝縮された水を蒸留水タンク１４に貯留することで実現される。
【００５１】
［利点］
当該栽培システムの栽培装置１は、培地２中又は培地２表面に配設される管路３を備え、この管路３内に温水を滞留させずに流通させるので、培地２を容易かつ確実に加湿及び加温できる。また、当該栽培システムは、屋根１０上の流路１１において自然エネルギーにより温水を得るので、温水を得るためのエネルギーを用意する必要がない。
【００５２】
また、当該栽培システムは、昼夜の寒暖差が激しい砂漠等の乾燥地帯で採用すると特に好適である。すなわち、当該栽培システムは、気温の高い昼の時間帯において、屋根１０上の流路１１において自然エネルギーにより温水を生成し、気温の低い夜の時間帯において、管路３内に温水を流通させて培地２を加湿及び加温できる。また、当該栽培システムは、気温の高い昼の時間帯において、屋根１０上の流路１１において水に熱を吸収させることで、温室１２内の温度上昇を低減でき、気温の低い夜の時間帯において、屋根１０上の流路１１において水を滞留させることで、温室１２内の温度低下を抑制できる。
【００５３】
［他の実施形態］
今回開示された実施の形態はすべての点で例示であって制限的なものではないと考えられるべきである。本発明の範囲は、上記実施形態の構成に限定されるものではなく、特許請求の範囲によって示され、特許請求の範囲と均等の意味及び範囲内での全ての変更が含まれることが意図される。
【００５４】
上記実施形態では、管路３の壁面の全てが水蒸気を透過可能な疎水性多孔質膜で構成されるものについて説明したが、壁面の少なくとも一部が疎水性多孔質膜であってもよい。
【００５５】
上記実施形態では、管路３が、培地２中及び培地２表面に配設されているものについて説明したが、管路３は、培地２中又は培地２表面の少なくともいずれかに配設されていればよい。
【００５６】
また、管路３は、筒状の経路であればどのような形状であってもよい。例えば、管路３の垂直断面が円形状、楕円形状、矩形状、又は角丸矩形状であってもよく、管路３の途中で上記垂直断面の断面積が異なっていてもよい。また、平面視における管路３の経路は直線状に限定されず、例えば、波状又はジグザグ状となっていてもよい。
【００５７】
また、複数の管路３は、平行に配設されていなくてもよく、管路３毎に培地２中の深さ又は培地２表面からの高さが異なっていてもよい。
【００５８】
上記実施形態では、栽培システムが、温水タンク９を備えるものについて説明したが、このようなものに限定されず、温水タンク９を備えない構成であってもよい。例えば、栽培システムが、常温の水を管路３に流通させるものであってもよいし、化石燃料の燃焼を利用して水を加温しつつこの水を管路３に送出するものであってもよい。
【００５９】
上記実施形態では、温水タンク９が、太陽光により加温された温水を貯留するものについて説明したが、このようなものに限定されず、例えば化石燃料の燃焼により加温された温水を貯留するように構成してもよい。
【００６０】
上記実施形態では、温水タンク９の壁面の少なくとも一部が、水蒸気を透過可能な疎水性多孔質膜９ａで構成されているものについて説明したが、温水タンクはこのようなものに限定されない。例えば、栽培システムが、保温機能のみを有する温水タンクを備える構成であってもよいし、保温機能のみを有する温水タンクと、壁面の少なくとも一部が、水蒸気を透過可能な疎水性多孔質膜９ａで構成された温水タンクとを同時に備える構成であってもよい。
【００６１】
上記実施形態では、温室１２の屋根１０上に樋状の流路１１が配設されるものについて説明したが、流路１１は樋状に形成されていればよく、例えば、筒状又は溝状の形状に形成されてもよい。また、流路１１の経路はどのような形状であってもよく、例えば、屋根面全体を直線的に流下する幅広い経路であってもよいし、屋根面を蛇行して流下する細い経路であってもよい。
【００６２】
上記実施形態では、栽培システムが温室１０を備え、温室１０内に栽培装置１が配置されるものについて説明したが、栽培システムが温室１０を備えていなくてもよいし、栽培装置１が温室１０内に配置されていなくてもよい。
【００６３】
上記実施形態では、栽培装置１が、毛管水耕栽培に用いられる栽培装置であるものについて説明したが、栽培装置はこのようなものに限定されない。例えば、土壌栽培に用いられる栽培装置であってもよい。
【産業上の利用可能性】
【００６４】
本発明の栽培装置、栽培システム及び栽培方法は、作物を着生させる培地へ水を容易かつ確実に供給可能とする。
【符号の説明】
【００６５】
１  栽培装置
２  培地
３  管路
４  栽培液
５  水槽
６  土台
７  栽培液供給機構
８  遮根透水シート
９  温水タンク
９ａ  疎水性多孔質膜
１０  屋根
１１  流路
１２  温室
１３  冷却器
１４  蒸留水タンク
１５  流路
１６  貯水タンク
【図１】
2018099095.tif 000003
【図２】
2018099095.tif 000004